(57)【要約】【課題】高級感があり、薬液による本体ケースの汚れを防いで美観に優れた加熱蒸散器を提供する。【解決手段】本加熱蒸散器は、容器内部の薬液を吸い上げる吸液芯を備えた液体容器が下部に設置され、かつ上部に蒸散口が設けられ、内部に設けた発熱体によって吸液芯が加熱される加熱蒸散器において、液体容器が収容され上部に発熱体が取り付けられた本体と、この本体と蒸散口間に設けられた通気路と、本体及び通気路を囲うように設けられ、通気路と異なる材質からなるケース体とを備える。【選択図】  図３
2011183064.tif 000002
【特許請求の範囲】
【請求項１】
容器内部の薬液を吸い上げる吸液芯を備えた液体容器が下部に設置され、かつ上部に蒸散口が設けられ、内部に設けた発熱体によって吸液芯が加熱される加熱蒸散器において、
前記液体容器が収容され上部に前記発熱体が取り付けられた本体と、
この本体と前記蒸散口間に設けられた通気路と、
前記本体及び通気路を囲うように設けられ、前記通気路と異なる材質からなるケース体と
を備えたことを特徴とする加熱蒸散器。
【請求項２】
前記通気路の一部は、本体上部を囲い、この本体上部と前記蓋体間に水密的に設けられた内カバーであることを特徴とする請求項１に記載の加熱蒸散器。
【請求項３】
前記本体上部と本体下部間に設けられた連結部には、前記通気路が外部に連通する連通孔が設けられることを特徴とする請求項１または２に記載の加熱蒸散器。
【請求項４】
前記本体下部に設けられた係合部と、前記内カバーの下端に設けられた係合部は、凹凸結合により係合されることを特徴とする請求項１ないし３のいずれか１項に記載の加熱蒸散器。
【請求項５】
前記ケース体は、複数の分割ケース体に分割されていることを特徴とする請求項１ないし４のいずれか１項に記載の加熱蒸散器。
【請求項６】
前記ケース体は、アクリル樹脂製であることを特徴とする請求項１ないし５のいずれか１項に記載の加熱蒸散器。
【発明の詳細な説明】
【技術分野】
【０００１】
本発明は加熱蒸散器に係り、特に美観に優れかつ薬液による本体ケースの汚れがない加熱蒸散器に関する。
【背景技術】
【０００２】
従来、部屋の消臭、芳香および殺虫等に適した薬液等を気化、蒸散させる加熱蒸散器が広く用いられている。
【０００３】
この種の加熱蒸散器は、内部の薬液を吸上げる吸液芯を備えた液体容器を蒸散器本体の下部に設置し、蒸散器本体内部に設けられたヒータ等の発熱体によって、この吸液芯を加熱することで薬液の気化、蒸散を促し、蒸散器本体の上方に設けられた蒸散口から外部へ拡散する構造となっている。
【０００４】
従来の加熱蒸散器として、螺子受ボスを備えた本体前ケースと、発熱体を固定支持するとともに螺子受ボスが挿入される貫通孔を備えた取付部材と、貫通孔に挿入された螺子受ボスを螺子で締結するためのボス受部を備えた本体後ケースとで構成したものが提案されている（例えば、特許文献１参照）。
【先行技術文献】
【特許文献】
【０００５】
【特許文献１】特開２００２−２００１５３号公報
【発明の概要】
【発明が解決しようとする課題】
【０００６】
しかしながら、特許文献１に記載の加熱蒸散器は、本体前ケースと本体後ケースを一体化する構造であるため、構造が簡単になるが、本体ケースが比較的耐薬品性に優れたポリプロピレン製であることが多く、光沢に乏しく高級感に欠ける。
【０００７】
そこで、本体ケースに透明で光沢があり、かつ高級感があるアクリル材等を用いることが考えられるが、長時間の使用後、薬液が本体ケースの裏面に付着し、あるいは加熱蒸散器を誤って転倒させ、さらに蒸散口を塞いだ状態で蒸散させて、本体ケースの裏面に薬液が付着すると美観を損なうおそれがあり、また、本体ケースに腐食や割れが生じて美観が低下する。
【０００８】
本発明は上述した事情を考慮してなされたもので、高級感があり、薬液による本体ケースの汚れを防いで美観に優れた加熱蒸散器を提供することを目的とする。
【課題を解決するための手段】
【０００９】
上述した目的を達成するため、本発明に係る加熱蒸散器は、容器内部の薬液を吸い上げる吸液芯を備えた液体容器が下部に設置され、かつ上部に蒸散口が設けられ、内部に設けた発熱体によって吸液芯が加熱される加熱蒸散器において、前記液体容器が収容され上部に前記発熱体が取り付けられた本体と、この本体と前記蒸散口間に設けられた通気路と、前記本体及び通気路を囲うように設けられ、前記通気路と異なる材質からなるケース体とを備えたことを特徴とする。
【発明の効果】
【００１０】
本発明に係る加熱蒸散器によれば、高級感があり、薬液による本体ケースの汚れを防いで美観に優れた加熱蒸散器を提供することができる。
【図面の簡単な説明】
【００１１】
【図１】本発明に係る加熱蒸散器の一実施形態を上方から見た斜視図。
【図２】本発明に係る加熱蒸散器の一実施形態を下方から見た斜視図。
【図３】本発明に係る加熱蒸散器の一実施形態の側面を示す縦断面図。
【図４】本発明に係る加熱蒸散器の一実施形態の底面図。
【図５】本発明に係る加熱蒸散器の一実施形態の背面図。
【図６】本発明に係る加熱蒸散器の一実施形態の使用状態を上方から見た分解斜視図。
【図７】本発明に係る加熱蒸散器の一実施形態に用いるケース体の底面図。
【図８】本発明に係る加熱蒸散器の一実施形態に用いる蓋体を下方から見た斜視図。
【発明を実施するための形態】
【００１２】
本発明に係る加熱蒸散器の一実施形態について図面を参照して説明する。
【００１３】
図１〜図５に示すように、本実施形態の加熱蒸散器１は、液体容器Ｖが収容される本体２と、この本体２を囲うケース体３と、本体２の上側に位置し、ケース体３の上側開口３ａを塞ぐ蓋体４と、ケース体３に収容される発熱体５と、本体２の上部および発熱体５を囲う内カバー６と、発熱体５に給電するプラグ７とを備え、通気路Ｒが設けられている。
【００１４】
本体２は合成樹脂製、例えばポリプロピレン製で側面視略凸状をなし、内部に略ドーム状の容器収容部２１が設けられる本体上部（本体主部）２２と、この本体上部２２から下方に延びる本体下部２３からなる。
【００１５】
本体上部２２には、容器取付用の容器頭部Ｖａ（図６）が収容される略円筒状の頭部収容部２２１が設けられ、本体下部２３には、液体収容用の容器本体Ｖｂが収容される略正方形筒状の容器本体収容部２３１が設けられる。
【００１６】
さらに、本体下部２３には、本体下部２３の下端から外方に延びる外向きフランジ部２３２ａ、２３２ｂが設けられ、外向きフランジ部２３２ａには、係合長孔２３３ａが２個ずつ設けられ、電気部品取付用の押圧部２３４、押圧円弧部２３５が設けられた立上２３６が形成された外向きフランジ部２３２ｂには、係合丸孔２３３ｂが立上２３６を挟むように２個設けられている。
【００１７】
立上２３６に対向する本体下部２３の側面は内側にわずかに膨出して、電気部品収容部２３７を形成している。
【００１８】
一方、頭部収容部２２１の外周に設けられる連結部２２６には、本体取付部２２２が９０°間隔で４個設けられ、この本体取付部２２２は頭部収容部２２１から離間状態で、頭部収容部２２１に沿ってこれより高い位置まで上方に延びている。そして、この本体取付部２２２の上面には、螺子Ｓが貫通する螺子貫通孔２２３が設けられる。
【００１９】
また、連結部２２６には、本体上部２２と一体状態で頭部収容部２２１に沿ってこの頭部収容部２２１より高い位置まで上方に延びる一対の発熱体取付部２２４が設けられ、この発熱体取付部２２４に発熱体５が螺着される。さらに、連結部２２６には、多数の連通孔２２７が設けられ、外気及び凝縮した薬液が通過できるようになっている。
【００２０】
発熱体５が発熱体取付部２２４に螺着された状態で、頭部収容部２２１の上面に設けた液芯貫通孔２２５が、発熱体５に設けた液芯挿入孔５２と一致し、吸液芯Ｐが液芯貫通孔２２５および液芯挿入孔５２を貫通可能になっている。
【００２１】
また、本体下部２３の上部には、内カバー６を固定する係止突条２３８が正方形状に立設されている。
【００２２】
図３、図４および図６に示すように、ケース体３は透明合成樹脂、例えば、無色透明のアクリルやＡＳ樹脂（アクリロニトリル・スチレン共重合体）等で成形されている。特にアクリルは、無色透明の樹脂の中でも比較的耐薬品性能が高く、高級感もあるため、ケース本体３の材料として好ましい。略正方形の面をＬ字状に２面連設してなる分割ケース体３１ａ、３１ｂが正方形状の筒状になるように連続してなり、加熱蒸散器１の組立時には２個の分割ケース体３１ａ、３１ｂは分離状態である。
【００２３】
そして、分割ケース体３１ａ、３１ｂの上端には、組立時、係合溝条３２が口字状をなすように設けられている。
【００２４】
また、分割ケース部材３１ａ、３１ｂの下端には、この下端を切欠することで脚部３３が設けられ、図７に示すように、下端近傍には分割ケース体３１ａ、３１ｂを本体２に固定するための内向きフランジ部３４ａ、３４ｂが各々設けられ、この各々の内向きフランジ部３４ａ、３４ｂの終端には接合用の傾斜面３４１が形成されている。
【００２５】
さらに、内向きフランジ部３４ａ及び内向きフランジ部３４ｂの一方側には、下方に突出し、図７に示すように、係合長孔２３３ａに係合する扁平長円形状の係合突起３４２が設けられ、内向きフランジ部３４ｂの他方側には、この他方側に設けたフランジ切欠部３４３を挟んで円柱状の係合突起３４４が設けられている。
【００２６】
また、他方側にはフランジ切欠部３４３の上方に、図５に示すように、電気部品を押さえ固定するための半楕円切欠部３４５と、半円切欠部３４６が設けられている。
【００２７】
ケース体３の内面側には、このケース体３に沿って内側ケース部材８が設けられ、内側ケース部材８はＳＵＳ製で、１枚の長尺板を３稜で正方形状に折り曲げられ、１稜は不連続である筒状をなし、その一面下部に電気部品用切欠部８１（図３）が設けられている。
【００２８】
加熱蒸散器１が組立てられた状態では、ケース体３と内側ケース部材８は密接状態を保っている。
【００２９】
図３、図６および図８に示すように、蓋体４は通気路Ｒの一部を構成し、合成樹脂製、例えばポリプロピレン製で略正方形板状をなし、中央部には正方形状の蒸散孔４１が設けられ、下面には本体取付部２２２に設けた螺子貫通孔２２３に対向して、４本の取付柱４２が立設され、螺子貫通孔２２３を貫通する螺子Ｓが螺合し、固定手段の一部をなす螺子孔４３が設けられ、また、大径の透光孔４４に連通して下方に僅かに延びる収容リング部４５が設けられている。
【００３０】
さらに、下面には蒸散孔４１を囲うように下方に向かって突設された蒸散塔４６が正方形状に設けられ、下面外周には係合溝条３２に係合する係止突条４７が口字状に設けられている。
【００３１】
発熱体５は合成樹脂製の発熱体取付部材５１で囲われ、この発熱体取付部材５１には、略中央部に金属リングで形成される液芯挿入孔５２が設けられ、両側に延びる取付片５３、５３には螺子Ｓ１が貫通する取付孔（図示せず）が設けられ、取付孔を貫通する螺子Ｓ１を発熱体取付部材５１に螺子孔（図示せず）に螺合することで、発熱体５が螺着される。
【００３２】
内カバー６は、通気路Ｒの一部を構成し、蓋体４とで通気路Ｒを構成する。
【００３３】
また、内カバー６は、合成樹脂製、例えばポリプロピレン製で、正方形状筒体をなし、頭部収容部２２１と発熱体５を囲い、蓋体４の下面と本体下部２３間に設けられる。
【００３４】
通気路Ｒを構成するポリプロピレン樹脂は、ケース体３に用いるアクリル樹脂に比べて耐薬品性に優れる。
【００３５】
さらに、内カバー６の下端には、本体下部２３の上端に設けた立上係止片２２８に係合する係止溝６１が設けられ、上端には、組立状態で蓋体４の下面に当接する支持部６２が外方に水平に延びて設けられ、支持部６２の一つ隅部には、円弧状の膨出部６３が設けられる。
【００３６】
この膨出部６３は、本体下部２３に立設されたＬＥＤ取付柱２３９の先端に取付けられたＬＥＤ９を囲う透明リング状の反射部材１０が収容される収容リング部４５を囲うものであり、反射部材１０の先端に取付けられ、蓋体４と同色で同一材質の円板１１により、透光孔４４はリング状に透光させる。
【００３７】
再び図３〜図５に戻り、加熱蒸散器１の下部には、プラグ７と、電源スイッチ１２が設けられ、この電源スイッチ１２は電源コード７１の先端に設けたコードプロテクター７２に近接して電気部品収容部２３７に収容され、コードプロテクター７２及び電源スイッチ１２の操作部１２１は外部に露出する。
【００３８】
次に、本実施形態の加熱蒸散器の使用方法について説明する。
【００３９】
図３及び図６に示すように、液体容器を本体２に挿着する。
【００４０】
しかる後、プラグ７をコンセントに差し、電源スイッチ１２をオンにし、発熱体５に通電する。
【００４１】
通電により発熱した発熱体５は、薬液を吸い上げる吸液芯を周囲から加熱して、薬液を蒸散させる。
【００４２】
薬液蒸気は、連通孔２２７から導入される空気とともに、通気路Ｒの一部を構成する内カバー６内を上昇し、通気路Ｒの一部を構成する蓋体４、及び蓋体４に設けた蒸散塔４６に案内されて、蒸散孔４１から室内に蒸散される。
【００４３】
一方、長時間の使用により薬液が本体ケースの裏面に付着し、あるいは加熱蒸散器を誤って転倒させ、さらに、蒸散口を塞いだ状態で蒸散させて本体ケースの裏面に薬液が付着することがあっても、通気路Ｒを構成する内カバー６、蓋体４の下面、あるいは本体上部２２の外面に付着し、凝縮した薬液は内カバー６及び本体上部２２の外面に沿って流下し、連通孔２２７から本体２外に流出される。
【００４４】
このとき、通気路Ｒは水密的な構造を有するので、凝縮した薬液がケース体３の内面に達することがなく、アクリル樹脂を用いても、裏面に薬液が付着することがなく、本体ケースに腐食や割れが生じることがない。
【００４５】
また、薬液は内カバー６及び本体上部２２の外面に沿って流下するが、本体下部２３に設けられた係止突条２３８と、内カバー６の下端に設けられた係止溝６１が、凹凸結合であるので、この結合部からの液漏れは確実に防止される。
【００４６】
また、ケース体が複数の分割ケース体に分割されているので、万一薬液がケース体内面に達しても、合わせ目から薬液を逃がすことができる。
【００４７】
さらに、ケース体をアクリル樹脂で成形することで、ポリプロピレン樹脂を用いた場合に比べて透明で光沢があり、かつ高級感がある。
【００４８】
なお本実施形態では通気路を別体の蓋体と内カバーで構成する例で説明したが、通気路は蓋体と内カバーが一体であってもよく、また、内カバーが本体と一体であってもよい。
【００４９】
本実施形態の加熱蒸散器によれば、高級感があり、薬液による本体ケースの汚れを防いで美観に優れた加熱蒸散器が実現する。
【符号の説明】
【００５０】
１  加熱蒸散器
２  本体
２１  容器収容部
２２  本体上部
２３  本体下部
２２１  頭部収容部
２２２  本体取付部
２２３  螺子貫通孔
２２４  発熱体取付部
２２５  液芯貫通孔
２２６  連結部
２２７  連通孔
２３１  容器本体収容部
２３２ａ、２３２ｂ  外向きフランジ部
２３３ａ  係合長孔
２３４  押圧部
２３５  押圧円弧部
２３６  立上
２３３ｂ  係合丸孔
２３７  電気部品収容部
２３８  係止突条
２３９  ＬＥＤ取付柱
３  ケース体
３ａ  上側開口
３１ａ、３１ｂ  分割ケース体
３２  係合溝条
３３  脚部
３４ａ、３４ｂ  内向きフランジ部
３４１  傾斜面
３４２  係合突起
３４３  フランジ切欠部
３４４  係合突起
３４５  半楕円切欠部
３４６  半円切欠部
４  蓋体
４１  蒸散孔
４２  取付柱
４３  螺子孔
４４  透光孔
４５  収容リング部
４６  蒸散塔
４７  係止突条
５  発熱体
５１  発熱体取付部材
５２  液芯挿入孔
５３  取付片
６  内カバー
６１  係止溝
６２  支持部
６３  膨出部
７  プラグ
７１  電源コード
７２  コードプロテクター
８  内側ケース部材
８１  電気部品用切欠孔
９  ＬＥＤ
１０  反射部材
１１  円板
１２  電源スイッチ
１２１  操作部
【図１】
2011183064.tif 000003
【図２】
2011183064.tif 000004
【図３】
2011183064.tif 000005
【図４】
2011183064.tif 000006
【図５】
2011183064.tif 000007
【図６】
2011183064.tif 000008
【図７】
2011183064.tif 000009
【図８】
2011183064.tif 000010